(57)【要約】【課題】硬貨計数機に保管された硬貨をより安全で簡易に他の場所に移すことができる硬貨計数機及び硬貨計数機に入金された硬貨の包装方法を提供する。【解決手段】  硬貨計数機は、硬貨計数機から排出された硬貨が収納される硬貨収納袋１０を保持可能な袋保持部９と、硬貨収納袋１０を挟持するとともに熱溶着によって密封する熱溶着部６０とを備え、熱溶着部６０は、回動可能に設けられる一対の腕部材１２とこれらの腕部材１２のそれぞれに取り付けられるとともに連動する一対のヒータ１３、１４とを有するヒータアーム１１を有し、一対の腕部材１２が回動して、ヒータ１３、１４が硬貨収納袋１０を挟持し熱溶着することによって硬貨収納袋１０を密封する。【選択図】図３
2019061616.tif 000002
【特許請求の範囲】
【請求項１】
硬貨を入金する入金部と、
前記入金部から入金された硬貨を計数する硬貨計数部と、
前記硬貨計数部で計数された硬貨を排出する硬貨排出口と、
前記硬貨排出口から排出された前記硬貨が収納される硬貨収納袋を保持可能な袋保持部と、
前記硬貨収納袋を挟持するとともに熱溶着によって密封する熱溶着部とを備える硬貨計数機。
【請求項２】
前記熱溶着部は、
回動可能に設けられる一対のアーム部と、
前記一対のアーム部のそれぞれに取り付けられるとともに、前記一対のアーム部に連動する一対のヒータとを有するヒータアームを備え、
前記一対のアーム部が回動して、前記一対のヒータが前記硬貨収納袋を挟持し熱溶着することによって前記硬貨収納袋を密封する請求項１に記載の硬貨計数機。
【請求項３】
前記袋保持部には、前記硬貨排出口を覆うための安全カバーが、開閉可能に設けられる請求項１又は２に記載の硬貨計数機。
【請求項４】
前記硬貨収納袋に前記硬貨が収納される間、前記安全カバーを開閉不能にするロック機構部を備える請求項３に記載の硬貨計数機。
【請求項５】
硬貨計数機に入金された硬貨を計数し、
計数された前記硬貨を、熱溶着性を有する樹脂材料で形成される硬貨収納袋に収納し、
前記硬貨が収納される前記硬貨収納袋を熱溶着によって密閉する、硬貨計数機に入金された硬貨の包装方法。
【発明の詳細な説明】
【技術分野】
【０００１】
この発明は、硬貨計数機及び硬貨計数機に入金された硬貨の包装方法に関する。
【背景技術】
【０００２】
硬貨を計数した後に貯留する機械として一般的に、特許文献１に示すような硬貨計数機が知られている。特許文献１の硬貨計数機では、円筒形状のホッパ部に硬貨が投入され、硬貨計数通路に硬貨が送り出される。そして、硬貨は硬貨計数通路を搬送ベルトによって搬送され、シュート部へ送り込まれ、シュート部の下方に取り付けられた硬貨収容箱に貯留される。
【先行技術文献】
【特許文献】
【０００３】
【特許文献１】特開２０１７−５９１４５号公報
【発明の概要】
【発明が解決しようとする課題】
【０００４】
特許文献１に示すような従来の硬貨計数機には、硬貨選別入金部と硬貨一括入金部が有り、硬貨一括入金部に設置した金庫又は硬貨排出部に麻袋を装着して、硬貨を麻袋に移した後、麻袋を密閉していた。
【０００５】
しかしながら、硬貨計数機で計測した硬貨を別の場所に移送する際、人手により硬貨計数機から麻袋に硬貨を収納した後、袋を密閉する。そのため、硬貨の移し替えの前後で現金の金額が相違する、いわゆる現金相違のおそれがあった。
【０００６】
この発明は、このような問題を解決するためになされるもので、硬貨計数機に保管された硬貨をより安全で簡易に他の場所に移すことができる硬貨計数機及び硬貨計数機に入金された硬貨の包装方法を提供することを目的とする。
【課題を解決するための手段】
【０００７】
上記の課題を解決するために、この発明に係る硬貨計数機は、硬貨を入金する入金部と、入金部から入金された硬貨を計数する硬貨計数部と、硬貨計数部で計数された硬貨を排出する硬貨排出口と、硬貨排出口から排出された硬貨が収納される硬貨収納袋を保持可能な袋保持部と、硬貨収納袋を挟持するとともに熱溶着によって密封する熱溶着部とを備える。
【０００８】
熱溶着部は、回動可能に設けられる一対のアーム部と、一対のアーム部のそれぞれに取り付けられるとともに、一対のアーム部に連動する一対のヒータとを有するヒータアームを備え、一対のアーム部が回動して、一対のヒータが硬貨収納袋を挟持し熱溶着することによって硬貨収納袋を密封してもよい。
【０００９】
袋保持部には、硬貨排出口を覆うための安全カバーが、開閉可能に設けられてもよい。
【００１０】
硬貨計数機は、硬貨収納袋に硬貨が収納される間、安全カバーを開閉不能にするロック機構部を備えてもよい。
【００１１】
この発明に係る硬貨計数機に入金された硬貨の包装方法は、硬貨計数機に入金された硬貨を計数し、計数された硬貨を、熱溶着性を有する樹脂材料で形成される硬貨収納袋に収納し、硬貨が収納される前記硬貨収納袋を熱溶着によって密閉するものである。
【発明の効果】
【００１２】
この発明に係る硬貨計数機によれば、硬貨計数機に保管された硬貨をより安全で簡易に他の場所に移すことができる。
【図面の簡単な説明】
【００１３】
【図１】本発明の実施の形態１に係る硬貨計数機を示す斜視図である。
【図２】図１における硬貨計数機本体の斜視図であり、安全カバーが開かれた状態で示している。
【図３】図１における硬貨計数機の硬貨排出口周辺の構造を示す拡大図である。
【図４】硬貨収納袋の有無を検出する部分及び安全カバーのロック機構部を示す垂直方向の構造図である。
【図５】安全カバーのロック機構部を示す水平方向の構造図である。
【図６】硬貨収納袋を硬貨排出口に装着する工程についての説明図である。
【図７】硬貨を計数する工程についての説明図である。
【図８】ヒーティングを準備する工程についての説明図である。
【図９】ヒートシールを行う工程についての説明図である。
【図１０】ヒーティングを終了する工程についての説明図である。
【図１１】実施の形態２に係る硬貨計数機を示す斜視図である。
【発明を実施するための形態】
【００１４】
以下、この発明の硬貨計数機及び硬貨計数機に入金された硬貨の包装方法の実施の形態について添付図面に基づいて説明する。
【００１５】
実施の形態１．
図１は、この発明の実施の形態１に係る硬貨計数機１００を示す斜視図である。
硬貨計数機１００は、硬貨計数機本体１と、硬貨計数機本体１に接続した外付けのラベルプリンタ２０を備えている。
ラベルプリンタ２０は、図示しないラベルを印刷する。ラベルプリンタ２０は、図示しないラベルプリンタ排出部を備え、ラベルはラベルプリンタ排出部から排出される。ラベルには、硬貨計数機本体１で計数された硬貨の総金額、総枚数、及び計数時の日時等の硬貨に関する取引情報がラベルプリンタ２０によって印刷される。ラベルプリンタ排出部には、図示しないセンサが設けられ、ラベルの有無を検出できるように構成されている。ここで、ラベルプリンタ２０は、印刷機を構成する。
【００１６】
図２は、図１における硬貨計数機本体の斜視図を、安全カバーが開かれた状態で示している。
図２に示されるように、硬貨計数機本体１の上部には、モニタ２、操作部３及び硬貨を入金するための入金部４が設けられている。また、硬貨計数機本体１の内部には、入金部４から入金された硬貨を計数する硬貨計数部５０が設けられている。さらに、硬貨計数機本体１の内部には、硬貨計数部５０で計数された硬貨を排出する硬貨排出口５が設けられている。
【００１７】
また、硬貨排出口５の周辺の硬貨計数機本体１の内部には、熱溶着部６０が設けられている。さらに、硬貨排出口５の周囲及び下方には、硬貨排出口５から排出された硬貨を収納する硬貨収納袋１０（図３参照）を保持することが可能な袋保持部９が設けられている。なお、袋保持部９は、硬貨収納袋１０が収納される袋収納ケース９ａ及び開閉可能な開閉扉である安全カバー８を備えている。袋収納ケース９ａの底部９ｂは、硬貨が収納された硬貨収納袋１０を支える支持部を構成する。安全カバー８は、袋収納ケース９ａとともに、硬貨排出口５を覆うように設けられている。さらに、硬貨計数機本体１の内部には、安全カバー８を開閉不能にするロック機構部３０が設けられている。
【００１８】
図３は、図１における硬貨計数機の硬貨排出口周辺の構造を示す拡大図である。
図３に示されるように、硬貨排出部材７は、下方向に開放された末広がりの筒状であって、樹脂製の材料で形成されている。硬貨排出部材７の内側部分は、硬貨計数部５０で計数された硬貨を外部に排出する硬貨排出口５を構成する。
硬貨排出口５の周囲にある熱溶着部６０は、硬貨収納袋１０を挟持するとともに熱溶着によって密封する。
【００１９】
熱溶着部６０は、回動可能に設けられた一対のヒータアーム１１を有している。
一対のヒータアーム１１は、それぞれ、腕部材１２及びヒータ１３、腕部材１２及びヒータ１４とで構成されている。ここで、腕部材１２はアーム部を構成する。
【００２０】
腕部材１２の一端側１２ａは、モータ駆動ギア１６に固定されている。モータ駆動ギア１６は、モータ１８に連結されている（図４参照）。腕部材１２は、モータ駆動ギア１６に固定された一端側１２ａを中心に回転駆動が可能に構成されている。ヒータアーム１１は、硬貨排出口５及びその周辺付近の側壁等に触れないように駆動できる構造である。ヒータアーム１１のヒータ１３、１４は、図示しない制御装置によりモータ１８が制御されることによって、図３に示される停止位置である元の位置から硬貨収納袋１０を溶着する溶着位置まで回動するように構成されている。
【００２１】
このように、熱溶着部６０は、一対のアーム部１２のそれぞれに取り付けられるとともに、一対のアーム部１２に連動する一対のヒータ１３、１４とを有するヒータアーム（１１）を備えている。
【００２２】
さらに、ヒータ１３の挟持面１３ａは凹形状に形成され、ヒータ１４の挟持面１４ａは凸形状に形成されている。挟持面１３ａと挟持面１４ａとは、組み合う形状になっており、硬貨排出口５の下方で、硬貨収納袋１０を両側から挟持するように構成されている。
なお、ヒータ１３、１４については、図示しない熱電対により検出された温度を基に制御装置により、温度管理が行われている。
挟持面１３ａ、１４ａは硬貨収納袋１０を挟持できれば、凹形状、凸形状でなくても良い。
【００２３】
また、硬貨排出口５の周囲及び下方に設けられる袋保持部９は、硬貨排出口５から排出された硬貨が収納される硬貨収納袋１０を保持するものある。
硬貨排出部材７の外側の周囲には、ストッパーリング１５が設けられている。ストッパーリング１５は、硬貨排出口５を覆うように硬貨排出部材７に装着した硬貨収納袋１０を、外部から挟み込んで硬貨排出口５に保持するための部材である。ストッパーリング１５は弾性体でＣ字形状の金属製である。
なお、硬貨収納袋１０の底の部分は、硬貨が収納された場合、袋収納ケース９ａの底部９ｂにより硬貨の荷重を支えるように構成されている。
【００２４】
硬貨排出部材７に装着される硬貨収納袋１０は、熱溶着性を有する樹脂材料であればよく、例えば塩化ビニールで形成されている。硬貨収納袋１０は、絶縁材料からできている。
【００２５】
図４は、硬貨収納袋の有無の検出する部分及び安全カバーのロック機構部を示す垂直方向の構造図である。
【００２６】
硬貨排出部材７の外側には、硬貨排出部材７を挟んで一対の金属製の検出プレート２５が対向して設けられている。
２つの検出プレート２５は、ストッパーリング１５の内側に配置され、弱電流が流れる構造となっている。ストッパーリング１５と検出プレート２５とが接触することにより、２つの検出プレート２５間で、電流が導通状態になる構造である。したがって、硬貨収納袋１０がストッパーリング１５と検出プレート２５との間に存在すると、２つの検出プレート２５間が非導通となって、硬貨収納袋１０が硬貨排出部材７に装着されたことを検知できるように構成されている。
【００２７】
また、図４のモータ１８の奥側には、安全カバー８の開閉を不能にするロック機構部３０が設けられている。ロック機構部３０の構造は図５を用いて説明する。
【００２８】
図５は、安全カバーのロック機構部を示す水平方向の構造図である。
図５において、ロック機構部３０が作動して、安全カバー８が袋収納ケース９ａと開閉不能に係合された状態のときの、ロック機構部３０の位置を破線で示す。また、ロック機構部３０の係合状態が解除された状態を実線で示す。
【００２９】
安全カバー８には、係合プレート３１が設けられている。安全カバー８の反対側には、安全カバー係合部材３２及び安全カバー係合解除機構３３が、袋収納ケース９ａに取り付けて設けられている。係合プレート３１には、係合開口３１ａが形成されており、この係合開口３１ａに安全カバー係合部材３２が係合されている。
【００３０】
安全カバー係合部材３２は、係合プレート３１の係合開口３１ａに係合される爪部３２ａと、係合プレート３１に当接される板部３１ｂとを有する。
袋収納ケース９ａの外部背面には、支持部材３４が固定されている。安全カバー係合部材３２の中間部と支持部材３４との間には巻きバネからなる接続スプリング３５が接続されている。接続スプリング３５は、爪部３２ａが係合開口３１ａから離れる方向に回動するように安全カバー係合部材３２を付勢している。
【００３１】
安全カバー係合部材３２の後端部には、レバー３７が設けられている。
安全カバー係合部材３２の後端部にレバー３７が係合されることで、爪部３２ｂが係合プレート３１から離れる方向への安全カバー係合部材３２の回動が規制されている。
安全カバー係合解除機構３３は、電気制御されるソレノイドアクチュエータ３６とレバー３７とを有している。ソレノイドアクチュエータ３６は、支持部材３４に固定されている。レバー３７は、ソレノイドアクチュエータ３６の図示しないプランジャに接続されている。
【００３２】
次に、図６〜１０を用いて、硬貨が収納された硬貨収納袋１０をパックする動作、即ち硬貨収納袋１０を熱溶着して密封する動作について５つの工程に分けて説明する。
【００３３】
図６は、硬貨収納袋１０を硬貨排出口５に装着する工程についての説明図である。
先ず、袋収納ケース９ａの安全カバー８が閉じられていて、安全カバー８を手動で開く。
次に、ストッパーリング１５を上方向にずらして、硬貨排出口５に硬貨収納袋１０を装着する。ストッパーリング１５を広げて、硬貨収納袋１０を硬貨排出部材７と間に挟んで固定する。その後、安全カバー８を閉じる。
【００３４】
図７は、硬貨を計数する工程についての説明図である。
使用者が入金部４に硬貨を入れて、操作部３における作動スイッチを押下げすると、硬貨計数が開始されるとともに、ロック機構部３０の動作により安全カバー８が開閉不能となる。
硬貨計数がすすむにつれて、硬貨１７が硬貨排出口５から排出され、硬貨収納袋１０内に落下する。硬貨収納袋１０に硬貨１７が収納され始めると、袋収納ケース９ａの底部９ｂにより硬貨収納袋１０内の硬貨１７の荷重が支えられ、硬貨収納袋１０に硬貨１７の過度な荷重がかからないようになっている。
【００３５】
図８は、ヒーティングを準備する工程についての説明図である。
硬貨計数終了後、ヒータアーム１１が下方向に回転駆動され、ヒータ１３及びヒータ１４が硬貨収納袋１０を絞り込んでいく。
【００３６】
図９は、ヒートシールする工程についての説明図である。
硬貨収納袋１０は、ヒータ１３とヒータ１４とで挟持され、ヒータ１３、１４の熱により、硬貨収納袋１０は熱溶着される。これにより硬貨収納袋１０は密封される。
【００３７】
図１０は、ヒーティングを終了する工程について説明図する。
硬貨収納袋１０をヒートシールした後、一対のヒータアーム１１は駆動回転して元の位置に戻る。安全カバー８のロック機構部３０の係合状態が解除される。
次に、安全カバー８を手動で開く。
硬貨の金額の情報がラベルプリンタ２０で認識され、計数された硬貨の総金額、総枚数、及び計数時の日時等に関する取引情報をラベルに印字する。密封された硬貨収納袋１０に、ラベルを貼付する。
ストッパーリング１５を上方向にずらして、密封された硬貨収納袋１０を硬貨排出口５から抜き取る。
【００３８】
以上、説明したように、硬貨計数終了後の硬貨について、硬貨収納袋１０に収納してパック包装を行っているので、１取引毎に硬貨収納袋の上部を密閉し、取引情報を印字したラベルをその場で硬貨収納袋に貼り付けることができる。
また、パックした硬貨収納袋１０を用いて現金輸送することができるので、勘定合わせ時に計算が合わないといういわゆる現金相違を解消することができる。
【００３９】
また、硬貨収納袋１０にビニール袋等を用いるので、包装にかかるコストの削減を図ることができる。さらに、硬貨の包装に使用したビニール袋は再使用せずに使い捨てるので、麻袋使用時において発生していた麻袋の摩耗に起因する故障を防止することができる。
【００４０】
次に、プリンタにおけるラベルの有無の検出の作用について、図１を用いて説明する。
硬貨計数が終了すると、ラベルプリンタ２０のラベルプリンタ排出部から印字されたラベルが排出される。
ラベルプリンタ排出部からラベルを取った場合、ラベル無しがセンサによって検出される。硬貨収納袋１０にラベルを貼付し、硬貨収納袋１０を硬貨排出口５から抜き取った後、次の硬貨計数を行うことができる。
一方、ラベルプリンタ排出部からラベルを取らない場合、ラベル有りがセンサによって検出される。
また、所定時間内にラベルプリンタ排出部から印字されたラベルを取らないと、センサにより検出されたラベル有りに基づいて警告音が鳴るように制御されている。
これにより、ラベルを、ラベルプリンタ排出部から取って、硬貨収納袋１０に貼付していないので、次の硬貨計数を行うことができない。
以上により、印字されたラベルを、ラベルプリンタ排出部から取って、確実に硬貨収納袋１０に貼付したことを確認できるので、硬貨収納袋１０へのラベルの貼り付け忘れを防止できる。
【００４１】
硬貨収納袋１０の装着の有無の検出部の作用について、図４を用いて説明する。
硬貨収納袋１０が硬貨排出口５に装着されている場合、ストッパーリング１５と検出プレート２５との間に、硬貨収納袋１０が挟まれているので、ストッパーリング１５と検出プレート２５が接触せず、導通しない状態となる。
一方、硬貨収納袋１０が硬貨排出口５に装着されていない場合、ストッパーリング１５と検出プレート２５が接触し、導通する状態となる。これにより、硬貨収納袋１０の有無の判定を行うことができる。また、硬貨排出口５に硬貨収納袋１０が装着されない場合は、硬貨収納袋１０の装着した状態が検知できないので、硬貨計数が開始されないように制御されている。
【００４２】
また、ロック機構部３０の解除動作について、図５を用いて説明する。
電気制御によるソレノイドアクチュエータ３６のプランジャの進退により、安全カバー係合部材３２とレバー３７との間の係合が解除され、接続スプリング３５の付勢力によって安全カバー係合部材３２が回動されて、安全カバー係合部材３２と係合プレート３１との間の係合が解除される。
このとき、安全カバー係合部材３２から離れるように係合プレート３１が板部３１ｂによって押し出される。
以上により、安全カバー係合解除機構３３は、制御により安全カバー係合部材３２と係合プレート３１との間の係合が解除される。すなわち、袋収納ケース９ａと安全カバー８との間の係合が解除される。
【００４３】
このように、ロック機構部３０により、硬貨収納袋１０の装着からヒーティングの終了までの一連の工程時における、誤って安全カバー８が開いてしまうことがない。そのため、硬貨を硬貨収納袋に収納している間に、硬貨収納袋１０に対する人為的な操作を防止できる。
【００４４】
実施の形態１による硬貨計数機１００では、硬貨１７を入金する入金部４と、入金部４から入金された硬貨を計数する硬貨計数部５０と、記硬貨計数部で計数された硬貨を排出する硬貨排出口５と備えている。さらに、硬貨排出口５から排出された硬貨１７が収納される硬貨収納袋１０を保持可能な袋保持部９と、硬貨収納袋１０を挟持するとともに熱溶着によって密封する熱溶着部６０とを備えている。
これらの構成により、現金輸送時に予備金庫が必要なく、また人為的に袋を密閉しないために現金相違のおそれを削減することができる。したがって、硬貨計数機に保管された硬貨をより安全で簡易に他の場所に移すことができる。
【００４５】
熱溶着部６０は、回動可能に設けられる一対の腕部材１２と、一対のアーム部１２のそれぞれに取り付けられるとともに、一対の腕部材１２に連動する一対のヒータ１３、１４とを有するヒータアーム１１を備えている。これら一対の腕部材１２が回動して、一対のヒータ１３、１４が硬貨収納袋１０を挟持し熱溶着することによって硬貨収納袋１０を密封する。
これらの構成により、硬貨排出口５よりも、ヒータ１３、１４が待機している状態で、硬貨収納袋１０を硬貨排出口５に装着できる。したがって、広い作業スペースが確保され、硬貨収納袋を装着する作業性が向上する。
【００４６】
一対のヒータ１３、１４は、それぞれ硬貨収納袋１０を挟持する挟持面１３ａ、１４ａを有している。一方の挟持面１３ａは凹形状に形成され、他方の挟持面１４ａは凸形状に形成されている。
これらの構成により、２つのヒータ１３、１４で硬貨収納袋１０を確実に挟み込むことができ、溶着性が向上する。
【００４７】
袋保持部９は、硬貨排出部材７と、硬貨排出部材７の周囲に硬貨収納袋１０を挟持可能なストッパーリング１５を有している。
これにより、硬貨収納袋１０を硬貨排出口５に装着する作業を容易に行うことができる。
【００４８】
袋保持部９は、硬貨収納袋１０を支える支持部９ｂを有している。
これにより、硬貨収納袋１０内に収納された硬貨１７の荷重が支えられ、硬貨収納袋１０に硬貨の過度な荷重がかかることがない。また、硬貨排出口５から落下する硬貨の衝撃力が硬貨収納袋１０にかかることもない。さらに、硬貨収納袋１０内の硬貨の重さによって、硬貨排出口５から硬貨収納袋１０が外れて、硬貨収納袋１０が摩耗や破損するのを防ぐこともできる。
【００４９】
袋保持部９には、硬貨排出口５を覆うための安全カバー８が、開閉可能に設けられている。これにより、硬貨排出口５が安全カバーに覆われているので、熱溶着時における不慮の事故を防止できる。
【００５０】
硬貨計数機１００は、さらに、硬貨収納袋１０に硬貨１７が収納される間、安全カバー８を開閉不能にするロック機構部３０を備えている。
これにより、ロック機構部３０により、硬貨収納袋１０の装着からヒーティングの終了までの一連の工程時における、誤って安全カバー８が開いてしまうことがない。そのため、硬貨１７を硬貨収納袋１０に収納している間に、硬貨収納袋１０に対する人為的な操作を防止できる。
【００５１】
硬貨計数機１００は、また、硬貨収納袋１０に貼付するためのラベルに、計数された硬貨に関する取引情報を印字するラベルプリンタ２０を備えている。
これにより、硬貨計数終了後、硬貨１７が収納され、熱溶着により密封された硬貨収納袋１０に、取引情報が印字されたラベルを貼り付けることが可能になる。したがって、硬貨収納袋１０内の硬貨の金額及び計数時の日時等に関する情報の不一致を防止できる。
【００５２】
実施の形態１による硬貨計数機１００に入金された硬貨の包装方法では、硬貨計数機１００に入金された硬貨１７を計数し、計数された硬貨を、熱溶着性を有する樹脂材料で形成される硬貨収納袋１０に収納し、硬貨が収納される硬貨収納袋１０を熱溶着によって密閉する。
これにより、現金輸送時に予備金庫が必要なく、また人為的に袋を密閉しないために現金相違のおそれを削減することができる。したがって、硬貨計数機に保管された硬貨をより安全で簡易に他の場所に移すことができる。
【００５３】
なお、硬貨収納袋１０の材質は、熱溶着を有する樹脂材料であって、例えばポリプロピレン、フッ素樹脂等を用いてもよい。また、硬貨収納袋１０の厚さは問わず、フィルム状に薄いものでも、シート状の厚いものでもよい。
【００５４】
実施の形態２．
この発明の実施の形態２に係る硬貨計数機２００の構成を図１１に示す。なお、図１〜１０の参照符号と同一の符号は同一又は同様の構成要素であるので、その詳細な説明は省略する。
【００５５】
硬貨計数機２００は、実施の形態１に係る硬貨計数機１００に対して、袋保持部９０の構造が異なり、他の構成は実施の形態１と同様である。
すなわち、モニタ２、操作部３及び硬貨を入金するための入金部４が設けられている。また、入金部４から入金された硬貨を計数する硬貨計数部５０、及び硬貨計数部５０で計数された硬貨を排出する硬貨排出口５が設けられている。硬貨排出口５の周辺には、熱溶着部６０及びロック機構部３０が設けられている。
【００５６】
一方、硬貨排出口５の周囲及び下方には、実施の形態１の袋保持部９の代わりに、袋保持部９０が設けられている。袋保持部９０は、実施の形態１の袋保持部９に対して、硬貨収納袋が全体的に覆う、袋収納ケース９ａ及び安全カバー８を有していない。
しかしながら、両端が垂直に曲げられた安全カバー４０が硬貨排出口５の周辺に設けられている。安全カバー４０は、蝶番３９を用いて上下方向に回動可能に設けられている。
【００５７】
実施の形態２に係る硬貨計数機２００の構成によっても、実施形態１と同様に、現金輸送時に予備金庫が必要なく、また人為的に袋を密閉しないために現金相違のおそれを削減することができる。したがって、硬貨計数機に保管された硬貨をより安全で簡易に他の場所に移すことができる。
【符号の説明】
【００５８】
４  入金部  ５  硬貨排出口、８  安全カバー、９  袋保持部、１０  硬貨収納袋、
１１  ヒータアーム（熱溶着部）、１２  腕部材（アーム部）、１３  ヒータ、
１７  硬貨、３０  ロック機構部、５０  硬貨計数部、６０  熱溶着部、
１００、２００  硬貨計数機。
【図１】
2019061616.tif 000003
【図２】
2019061616.tif 000004
【図３】
2019061616.tif 000005
【図４】
2019061616.tif 000006
【図５】
2019061616.tif 000007
【図６】
2019061616.tif 000008
【図７】
2019061616.tif 000009
【図８】
2019061616.tif 000010
【図９】
2019061616.tif 000011
【図１０】
2019061616.tif 000012
【図１１】
2019061616.tif 000013